(57)【特許請求の範囲】
【請求項１】
裏面の一部に設けられた粘着層によって剥離可能に貼着して積層された複数の付箋紙片を備えた付箋であって、
前記複数の付箋紙片は、積層方向に接する付箋紙片同士が、異なる形状の外形輪郭又は異なる形状の切込みの少なくとも一方を有し、
前記切込みは、前記付箋紙片の内部に設定された特定領域に沿って設けられ、前記特定領域を前記付箋紙片から切抜可能とし、
前記粘着層は、前記切込みによって囲まれた特定領域の裏面の一部及び前記特定領域の周囲領域の裏面の一部に設けられている
ことを特徴とする付箋。
【発明の詳細な説明】
【技術分野】
【０００１】
本発明は、裏面の一部に設けられた粘着層によって剥離可能に貼着して積層された複数の付箋紙片を備えた付箋に関する発明である。
【背景技術】
【０００２】
従来、外形輪郭が同一形状或いは相似形状の複数の付箋紙片を剥離可能に貼着して積層した付箋が知られている（例えば、特許文献１、特許文献２参照）。また、剥離可能に貼着して積層された複数の付箋紙片を型抜きし、各付箋紙片に同一形状の型抜き部を設けた付箋が知られている（例えば、特許文献３参照）。さらに、複数の付箋紙片を剥離可能に貼着して積層させた付箋パッドを複数重ね合わせ、適当な端部を固定して形成された付箋が知られている（例えば、特許文献４、特許文献５参照）。
【先行技術文献】
【特許文献】
【０００３】
【特許文献１】実用新案登録第３１６５２６１号
【特許文献２】特開２０１２-８１６５４号公報
【特許文献３】実用新案登録第３０６６５０５号
【特許文献４】実用新案登録第３０６６１４８号
【特許文献５】実用新案登録第３２００５８８号
【発明の概要】
【発明が解決しようとする課題】
【０００４】
ところで、従来の付箋では、同じ形状（デザイン）の付箋紙片が積層されているため、多様な形状（デザイン）の付箋紙片を用いるためには、様々な種類の付箋を持つ必要がある。そのため、付箋が嵩張ったり、邪魔になったりする問題が生じる。
また、複数の付箋パッドを重ねて固定することで付箋とした場合では、異なるデザインの付箋紙片を一つにまとめることができる。しかしながら、付箋パッド間では付箋紙片同士が貼着していないため、付箋パッドごとに分離しやすく、結局複数の付箋になってしまうことが考えられる。
【０００５】
そこで、本発明は、複数の付箋を持つことなく、異なるデザインの付箋紙片を用いることができる付箋を提供することを目的としている。
【課題を解決するための手段】
【０００６】
上記目的を達成するため、本発明は、裏面の一部に設けられた粘着層によって剥離可能に貼着して積層された複数の付箋紙片を備えた付箋であって、複数の付箋紙片は、積層方向に接する付箋紙片同士が、異なる形状の外形輪郭又は異なる形状の切込みの少なくとも一方を有する。また、切込みは、付箋紙片の内部に設定された特定領域に沿って設けられ、特定領域を付箋紙片から切抜可能とする。さらに、粘着層は、切込みによって囲まれた特定領域の裏面の一部及び特定領域の周囲領域の裏面の一部に設けられている。
【発明の効果】
【０００７】
よって、本発明の付箋では、複数の付箋紙片が積層される際、積層方向に接する付箋紙片同士が、異なる形状の外形輪郭又は異なる形状の切込みの少なくとも一方を有している。そのため、付箋紙片を使用する度に、異なる形状（デザイン）の付箋紙片が現れることになり、複数の付箋を持つことなく、異なるデザインの付箋紙片を用いることができる。
【図面の簡単な説明】
【０００８】
【図１】実施例１の付箋を示す外観斜視図である。
【図２】実施例１の付箋を示す分解斜視図である。
【図３】実施例１の付箋紙片のうちの一つを示す斜視図である。
【図４】実施例１の付箋の製造方法を示す説明図である。
【図５】実施例１の付箋紙片の使用例を示す説明図であり、最表層の付箋紙片の剥離途中を示す斜視図である。
【図６】実施例１の付箋紙片の第１使用例を示す説明図であり、(a)は冊子のページ端部に粘着層を貼り付けた通常使用状態を示し、(b)は折り返し領域をページ裏面側に折り込んだ状態を示す。
【図７】実施例１の付箋紙片の第２使用例を示す説明図であり、(a)は折り返し領域の折り返し途中を示し、(b)は折り返し領域を折り返した状態を示し、(c)は折り返し領域を切り離した状態を示す。
【図８】実施例２の付箋を示す分解斜視図である。
【図９】実施例２の第６付箋紙片を示す平面図である。
【図１０】実施例２の付箋の変形例を示す分解斜視図である。
【図１１】実施例２の第１０付箋紙片を示す平面図である。
【図１２】実施例２の付箋の使用例を示す斜視図である。
【図１３】実施例２の変形例の付箋の使用例を示す斜視図である。
【発明を実施するための形態】
【０００９】
以下、本発明の付箋を実施するための形態を、図面に示す実施例１及び実施例２に基づいて説明する。
【００１０】
（実施例１）
まず、実施例１の付箋の構成を、「全体構成」、「付箋紙片の詳細構成」、「付箋の製造方法」に分けて説明する。
【００１１】
［全体構成］
図１は、実施例１の付箋を示す外観斜視図であり、図２は、分解斜視図である。以下、図１及び図２に基づき、実施例１の付箋の全体構成を説明する。
【００１２】
実施例１の付箋帳１は、台紙２と、第１付箋３と、第２付箋４と、を備えている。
【００１３】
前記台紙２は、紙により形成され、第１,第２付箋３,４の最下層に設けられた剥離紙１０ｘ（図２参照）が貼着されて、この第１,第２付箋３,４が固定される。この台紙２は、第１,第２付箋３,４よりも大きい面積を有しており、表面や裏面には、任意の図柄や文字等の印刷が施されている。
なお、台紙２は、紙に限定されるものではなく、合成樹脂などのシート、膜、薄板など、厚みが薄い可撓性の面状材であればよい。
【００１４】
前記第１付箋３は、紙により形成された多数の付箋紙片１０を積層すると共に、各付箋紙片１０の裏面１１の一部に設けた粘着層１５によって剥離可能に貼着して、多数の付箋紙片１０を一体化して形成されている。
ここで、第１付箋３では、多数の付箋紙片１０が、図２に示すように、外形輪郭１２及び内部の特定領域に沿って設けられた切込み１３の両方が異なる３種類の付箋紙片（第１付箋紙片１０Ａ、第２付箋紙片１０Ｂ、第３付箋紙片１０Ｃ）から構成されている。この第１付箋３では、第１〜第３付箋紙片１０Ａ,１０Ｂ,１０Ｃを、一枚ずつ順に積層し、積層方向に接する付箋紙片１０同士が異なる種類となっている。
また、第１付箋３を形成する付箋紙片１０は、紙に限定されるものではなく、半透明紙又は合成紙、各種フィルムシート等厚みが薄く、印刷特性を有する面状材であればよい。
【００１５】
前記第２付箋４は、紙により形成された多数の付箋紙片１０を積層すると共に、各付箋紙片１０の裏面１１の一部に設けた粘着層１５によって剥離可能に貼着して、多数の付箋紙片１０を一体化して形成されている。
ここで、第２付箋４では、多数の付箋紙片１０が、図２に示すように、外形輪郭１２及び内部の特定領域に沿って設けられた切込み１３の両方が異なる２種類の付箋紙片（第４付箋紙片１０Ｄ、第５付箋紙片１０Ｅ）から構成されている。この第２付箋４では、第４付箋紙片１０Ｄと第５付箋紙片１０Ｅを、一枚ずつ交互に積層し、積層方向に接する付箋紙片１０同士が異なる種類となっている。
また、第２付箋４を形成する付箋紙片１０は、紙に限定されるものではなく、半透明紙又は合成紙、各種フィルムシート等厚みが薄く、印刷特性を有する面状材であればよい。
【００１６】
［付箋紙片の詳細構成］
図３は、第１付箋を構成する第１付箋紙片を示す斜視図である。なお、第１付箋紙片１０Ａと他の付箋紙片（第２〜第５付箋紙片１０Ｂ〜１０Ｅ）とは、外形輪郭１２及び切込み１３の形状が異なるだけで、基本的な構成は同じである。そのため、以下、図３に示す第１付箋紙片１０Ａに基づき、実施例１の付箋紙片の詳細構成を説明する。
【００１７】
前記第１付箋紙片１０Ａ（付箋紙片１０）は、貼着領域２１と、インデックス領域２２と、折り返し領域２３と、を有する小紙片である。
【００１８】
前記貼着領域２１は、裏面１１に粘着層１５が設けられた領域である。貼着領域２１の裏面１１に粘着層１５を設けたことにより、第１付箋紙片１０Ａを、ノート等の他の部材に対して剥離可能に貼り付けることができる。そして、この第１付箋紙片１０Ａを他の付箋紙片（第２付箋紙片１０Ｂ,第３付箋紙片１０Ｃ）と積層したときには、表層側に位置する他の付箋紙片（第３付箋紙片１０Ｃ）の粘着層１５が、この第１付箋紙片１０Ａの貼着領域２１の表面に貼り付けられる。また、下層側に位置する他の付箋紙片（第２付箋紙片１０Ｂ）の貼着領域２１の表面に、この第１付箋紙片１０Ａの貼着領域２１の裏面の粘着層１５が貼り付けられる。
なお、粘着層１５に使用する接着剤は、澱粉系、蛋白質系、天然ゴム系、さらにアスファルト系などの天然系接着剤や、合成樹脂系でもよいが、好ましくは、接着・剥離が自在に行える高分子ポリマー等を配合した合成ゴム系やアクリル系の感圧性接着剤がよい。また、接着剤は、貼着領域２１の全面に塗布していなくてもよく、例えば縞模様や斑点模様に塗布してもよい。
【００１９】
前記インデックス領域２２は、裏面１１に粘着層１５が設けられていない領域であって、一部が貼着領域２１と連続すると共に、他の部分が切込み１３によって折り返し領域２３と区画された領域である。すなわち、インデックス領域２２を区画する切込み１３は、第１付箋紙片１０Ａの内部の特定領域（インデックス領域２２）の輪郭の一部に沿って設けられており、インデックス領域２２は、貼着領域２１と連続した一部を残して折り返し領域２３から切り離されている。
【００２０】
前記折り返し領域２３は、裏面１１に粘着層１５が設けられていない領域であって、インデックス領域２２を取り囲むと共に、一部が貼着領域２１と連続した領域である。この折り返し領域２３と貼着領域２１との境界位置は、ミシン目１４によって区画されている。また、この折り返し領域２３の外形輪郭１２ａと、貼着領域２１の外形輪郭１２ｂと、によって、第１付箋紙片１０Ａの外形輪郭１２が構成される。
【００２１】
そして、この第１付箋紙片１０Ａ、第２付箋紙片１０Ｂ、第３付箋紙片１０Ｃ、第４付箋紙片１０Ｄ、第５付箋紙片１０Ｅは、図２に示すように、互いに折り返し領域２３の外形輪郭１２ａの形状が異なる形状となっている。また、各付箋紙片１０Ａ〜１０Ｅの切込み１３の形状も、図２に示すように、付箋紙片ごとに異なる形状となっている。
【００２２】
一方、第１付箋紙片１０Ａ、第２付箋紙片１０Ｂ、第３付箋紙片１０Ｃの貼着領域２１の形状は同一形状であり、それぞれの貼着領域２１の外形輪郭１２ｂも同一形状となっている。また、第４付箋紙片１０Ｄ及び第５付箋紙片１０Ｅの貼着領域２１の形状も同一形状であり、それぞれの貼着領域２１の外形輪郭１２ｂが同一形状となっている。
【００２３】
［付箋の製造方法］
図４は、実施例１の付箋の製造方法を示す模式図である。以下、図４に基づいて実施例１の付箋の製造方法を説明する。
【００２４】
実施例１の第１付箋３及び第２付箋４を製造するには、まず、第１付箋３或いは第２付箋４となるロール紙３０から紙本体３１を引き出し、印刷工程に移行する。印刷は、インクジェット印刷機３２によって、貼着領域２１、インデックス領域２２、折り返し領域２３の各領域に行われ、紙本体３１の両面に行われる。
【００２５】
続いて、糊付け工程に移行する。糊付け（接着剤Ｓの塗布）は、紙本体３１の下方位置に、垂直方向に配置された一対のローラ３３ａ,３３ｂ間に架け渡された糊付けベルト３３ｃを、紙本体３１に接触させることで行われる。すなわち、糊付けベルト３３ｃが接触した位置に粘着層１５が設けられる。
ここで、下側ローラ３３ｂは、接着剤Ｓが貯留されたタンク３３ｄの内側に配置されている。そして、一対のローラ３３ａ,３３ｂが回転することで、糊付けベルト３３ｃは、上側ローラ３３ａから下方に向かって送られ、下側ローラ３３ｂに沿って移動しながら接着剤Ｓが付着する。そして、接着剤Ｓが付着したら、この糊付けベルト３３ｃは、下側ローラ３３ｂから上方に向かって送られ、上側ローラ３３ａに沿って移動しながら紙本体３１に接触して接着剤Ｓを塗布する。
ここで、糊付けベルト３３ｃの表面には、接着剤が付着する糊塗布部が間欠的に形成されていてもよいし、全面に接着剤Ｓが付着してもよい。糊塗布部を形成した場合には、紙本体３１の必要箇所のみに接着剤Ｓを塗布することができる。
【００２６】
次に、裁断工程に移行する。裁断は、回転盤３４ａの周面に設けられた複数のカッタ３４ｂによって行われる。ここで、各カッタ３４ｂは、それぞれ異なる形に形成されている。すなわち、紙本体３１が移動していく一方で、回転盤３４ａが回転することで、カッタ３４ｂが紙本体３１に接触し、切込みやミシン目が入る。このとき、各カッタ３４ｂがそれぞれ異なる形に形成されていることで、異なる外形輪郭１２や切込み１３を有する付箋紙片１０が連続して形成される。
なお、この裁断工程では、紙本体３１の裏面側に下紙となる剥離紙Ｈが設けられる。この剥離紙Ｈは、紙本体３１の下方位置に設置されたリール３４ｃから送り出され、第１ローラ３４ｄを介して紙本体３１の裏面側に貼着される。そして、複数のカッタ３４ｂによって、紙本体３１のみが完全に裁断され、剥離紙Ｈは厚みの三分の一程度が裁断される。これにより、剥離紙Ｈは切り抜かれず、付箋紙片１０を支持することができる。
【００２７】
次に、打抜き・積層工程に移行する。打抜き・積層は、裁断済みの紙本体３１及び剥離紙Ｈを、ニップローラ３５ａによって上側から、第２ローラ３４ｅによって下側から挟持し、積層台３５ｃへと搬送する。このとき、積層台３５ｃの上方位置にはエア噴射部３５ｄが設けられ、このエア噴射部３５ｄから下方に向けてエアが噴射され続けている。一方、裁断工程にて紙本体３１に貼着された剥離紙Ｈは、ニップローラ３５ａと第２ローラ３４ｅの間から送り出されると同時に、第２ローラ３４ｅに沿って下方に向かって送り出され、紙本体３１から剥離される。
そのため、ニップローラ３５ａと第２ローラ３４ｅの間から送り出された紙本体３１から、エアによって付箋紙片１０が抜き取られ、付箋紙片１０のみが積層台３５ｃ上に積層されていく。このとき、積層台３５ｃの位置及びエア噴射部３５ｄの位置を固定とすることで、各付箋紙片１０は、同一の位置に積層される。また、予め積層台３５ｃに剥離紙１０ｘを設置しておくことで、剥離紙１０ｘ上に付箋紙片１０を積層していくことができる。そして、積層されると同時に粘着層１５が下層側の付箋紙片１０に貼着され、固定される。これにより、一枚ごとに異なる形状の付箋紙片１０が積層された第１付箋３或いは第２付箋４が製造される。
【００２８】
また、ここでは、抜き取られた付箋紙片１０の一部が、紙本体３１から剥離された剥離紙Ｈに仮着されて下方へと移動することにより、各付箋紙片１０の端面を高精度で揃えることができる。また、打抜き・積層工程で付箋紙片１０が抜き取られた後の紙本体３１は、抜きカスとして巻取リール３６により巻き取られる。
【００２９】
次に、実施例１の付箋の「異種類付箋紙片使用作用」と「付箋紙片の使用例」を説明する。
【００３０】
[異種類付箋紙片使用作用]
実施例１の付箋帳１では、図１に示すように、一つの台紙２に対して第１付箋３と第２付箋４とが固定されている。
【００３１】
ここで、第１付箋３は、外形輪郭１２及び内部の特定領域に沿って設けられた切込み１３の両方が異なる３種類の付箋紙片（第１付箋紙片１０Ａ、第２付箋紙片１０Ｂ、第３付箋紙片１０Ｃ）から構成され、この３種類の付箋紙片（第１〜第３付箋紙片１０Ａ,１０Ｂ,１０Ｃ）が、一枚ずつ順に積層し、積層方向に接する付箋紙片１０同士が異なる種類となっている。
また、第２付箋４は、外形輪郭１２及び内部の特定領域に沿って設けられた切込み１３の両方が異なる２種類の付箋紙片（第４付箋紙片１０Ｄ、第５付箋紙片１０Ｅ）から構成され、この２種類の付箋紙片（第４,第５付箋紙片１０Ｄ,１０Ｅ）が、一枚ずつ交互に積層し、積層方向に接する付箋紙片１０同士が異なる種類となっている。
【００３２】
これにより、図５に示すように、第１付箋３の最表層に位置する第１付箋紙片１０Ａを使用するために剥離すると、第１付箋３の最表層には第２付箋紙片１０Ｂが現れる。そのため、第１付箋紙片１０Ａを使用した後、第２付箋紙片１０Ｂを使用することができる。さらに、第２付箋紙片１０Ｂを使用するために剥離すれば、第１付箋３の最表層には第３付箋紙片１０Ｃが現れ、第２付箋紙片１０Ｂの次に第３付箋紙片１０Ｃを使用することができる。
【００３３】
このように、第１付箋３を使用する際、異なる３種類の付箋紙片（第１〜第３付箋紙片１０Ａ,１０Ｂ,１０Ｃ）が順に最表層に現れる。このため、複数の付箋を持つことなく、異なるデザインの付箋紙片（第１〜第３付箋紙片１０Ａ,１０Ｂ,１０Ｃ）を用いることができる。
【００３４】
また、第２付箋４においても、図示しないが、第４付箋紙片１０Ｄと第５付箋紙片１０Ｅとが交互に最表層に現れる。このため、複数の付箋を持つことなく、外形輪郭１２及び切込み１３の両方が異なる２種類の付箋紙片（第４,第５付箋紙片１０Ｄ,１０Ｅ）を用いることができる。
【００３５】
すなわち、実施例１の付箋帳１においては、台紙２に２つの付箋（第１付箋３、第２付箋４）が固定されているが、付箋紙片１０の種類としては５種類である。そのため、２つの付箋（第１付箋３、第２付箋４）を持つだけで、５種類の付箋紙片（第１〜第５付箋紙片１０Ａ〜１０Ｅ）を順に使用することができる。
【００３６】
そして、この実施例１の第１付箋３及び第２付箋４では、いずれも外形輪郭１２のうち、折り返し領域２３の外形輪郭１２ａの形状が異なる形状であって、貼着領域２１の外形輪郭１２ｂが同一形状となっている。
つまり、第１〜第３付箋紙片１０Ａ,１０Ｂ,１０Ｃ、或いは、第４,第５付箋紙片１０Ｄ,１０Ｅは、それぞれ粘着層１５が設けられた領域（貼着領域２１）の外形輪郭１２ａが同一形状であり、粘着層１５が設けられていない領域（折り返し領域２３）の外形輪郭１２ｂが異なっている。
【００３７】
そのため、各付箋紙片１０を異なるデザインにしつつ、付箋紙片１０同士が貼着する貼着領域２１の形状が同一になるので、図１等に示すように、積層したときの貼着領域２１のはみ出しが生じることがない。これにより、貼着領域２１の全面に粘着層１５を設けることができ、付箋紙片１０の貼着力を向上することができる。
【００３８】
[付箋紙片の使用例]
図６及び図７は、実施例１の付箋紙片の使用例を示す説明図であり、図６(a)は通常使用状態を示し、図６(b)は折り返し領域を裏側に折り込んだ状態を示す。また、図７(a)は折り返し領域を表側に折り返す途中状態を示し、図７(b)は折り返し領域を表側に折り返した状態を示し、図７(c)は折り返し領域を切り取った状態を示す。以下、図６及び図７に基づき、実施例１の付箋における付箋紙片の使用例を説明する。
【００３９】
実施例１の第１付箋３或いは第２付箋４を構成する各付箋紙片１０（第１〜第５付箋紙片１０Ａ〜１０Ｅ）は、いずれも付箋紙片１０の内部の特定領域（インデックス領域２２）の輪郭の一部に沿って設けられた切込み１３を有しており、特定領域であるインデックス領域２２が、一部を残して付箋紙片１０から切り離されている。
【００４０】
そのため、インデックス領域２２の周囲を取り囲む折り返し領域２３を設けることができる。そして、この折り返し領域２３を設けたことで、図３に示すように、折り返し領域２３がインデックス領域２２を取り囲んだ通常状態から、ミシン目１４を起点に折り返し領域２３だけを折り返し、インデックス領域２２のみを突出させることができる。
【００４１】
すなわち、図６(a)に示すように、この付箋紙片１０をノートや本等の冊子Ｓのページ端部Ｐに貼り付ける。このとき、ミシン目１４を冊子Ｓのページ端部Ｐに合わせ、折り返し領域２３がページ端部から突出するようにする。
これにより、付箋紙片１０は、一般的な付箋紙片と同様に、この付箋紙片１０の表側を目印やメモ書き等に使用することができる。また、図６(b)に示すように、ミシン目１４を起点に折り返し領域２３を裏面側に折り返し、ページ端部Ｐの裏側に折り込むと、ページ端部Ｐからインデックス領域２２のみを突出させることができる。これにより、ページ端部Ｐからの付箋紙片１０の突出長さを短縮しつつ、この付箋紙片１０の折り返し領域２３が冊子Ｓの紙面を邪魔することを防止できる。
【００４２】
また、折り返し領域２３を付箋紙片１０の裏面側に折り返し、ページ端部Ｐの裏側に折り込んだときには、ページ端部Ｐが貼着領域２１と折り返し領域２２によって挟まれる。そのため、貼着領域２１の位置がずれにくくなり、インデックス領域２２の突出長さを安定させることができる。
【００４３】
さらに、図７(a)に示すように、ミシン目１４を起点に折り返し領域２３を表面側に折り返し、図７(b)に示すように、貼着領域２１に折り返し領域２３が重なった状態で、インデックス領域２２のみを突出させることができる。これにより、図３に示した通常状態に対して、図７(b)に示すように表示形態を容易に異ならせることができる。
この結果、例えば未処理状態から処理状態を示す場合等に、簡単に表示内容を示すことができ、付箋紙片１０の利便性を向上することができる。
【００４４】
また、折り返し領域２３を表側に折り返した場合では、図７(b)に示すように、折り返し領域２３の裏面２３ａを露出させることができる。そのため、この折り返し領域２３には、折り返し前に露出している表面２３ｂと、裏面２３ａの両方にメモ書きをすることができる。
【００４５】
さらに、この折り返し領域２３が、切込み１３及びミシン目１４によって区画されているので、図７(c)に示すように、貼着領域２１及びインデックス領域２２から、折り返し領域２３のみを容易に切り離すことができる。
これにより、折り返し領域２３に記載したメモが不要になれば、簡単に切り離して廃棄することができるし、折り返し領域２３をメモ用紙として活用することもできる。また、折り返し領域２３を切り離しても、貼着領域２１及びインデックス領域２２は、通常の付箋紙片として利用することができる。
【００４６】
そして、この実施例１では、切込み１３が、粘着層１５が設けられていない領域に形成されている（図３参照）。このため、この切込み１３によって区画される折り返し領域２３の裏面には、粘着層１５が設けられることがなくなり、折り返し領域２３が貼り付けられることがない。これにより、この折り返し領域２３を容易に折り返すことができる。
【００４７】
次に、効果を説明する。
実施例１の付箋にあっては、下記に列挙する効果を得ることができる。
【００４８】
(1) 裏面の一部に設けられた粘着層１５によって剥離可能に貼着して積層された複数の付箋紙片１０を備えた付箋（第１付箋３）であって、
前記複数の付箋紙片１０は、積層方向に接する付箋紙片１０同士が、異なる形状の外形輪郭１２又は異なる形状の切込み１３の少なくとも一方を有する構成とした。
これにより、複数の付箋を持つことなく、様々な種類の付箋紙片１０を利用することができる。
【００４９】
(2) 前記複数の付箋紙片１０は、それぞれの外形輪郭１２のうち、前記粘着層１５が設けられた領域（貼着領域２１）に沿った部分の外形輪郭１２ａが同一形状になっている構成とした。
これにより、(1)の効果に加え、貼着領域２１の全面に粘着層１５を設けることができ、付箋紙片１０の貼着力を向上することができる。
【００５０】
(3) 前記切込み１３は、前記付箋紙片１０の内部の特定領域（インデックス領域２２）の一部に沿って設けられている構成とした。
これにより、(1)又は(2)の効果に加え、切込み１３によって特定領域（インデックス領域２２）の周囲を取り囲む折り返し領域２３を設けることができ、この折り返し領域２３を利用することで付箋紙片１０の利便性を向上することができる。
【００５１】
(4) 前記切込み１３は、前記粘着層１５が設けられていない領域に形成されている構成とした。
これにより、(3)の効果に加え、特定領域（インデックス領域２２）の周囲を取り囲む折り返し領域２３を容易に折り返すことができる。
【００５２】
（実施例２）
実施例２は、付箋紙片に形成された切込みによって、付箋紙片の内部の一部領域を切抜可能にした例である。
【００５３】
図８は、実施例２の付箋を示す分解斜視図である。図９は、実施例２の第６付箋紙片を示す平面図である。以下、図８及び図９に基づき、実施例２の付箋の構成を説明する。
【００５４】
実施例２の付箋５は、台紙２と、多数の付箋紙片１０と、を備えている。ここで、台紙２については、実施例１と同様であるため、詳細な説明を省略する。また、多数の付箋紙片１０は、ここでは半透明紙により形成された紙片であり、積層されている。また、この付箋５は、各付箋紙片１０の裏面１１の一部に設けた粘着層１５によって剥離可能に貼着して、多数の付箋紙片１０を一体化して形成されている。
なお、付箋５を形成する各付箋紙片１０は、半透明紙に限定されるものではなく、一般的な紙又は合成紙、各種フィルムシート等厚みが薄く、印刷特性を有する面状材であればよい。
【００５５】
ここで前記付箋５では、多数の付箋紙片１０が、図８に示すように、外形輪郭１２の形状が異なり、内部の特定領域に沿って設けられた切込み１３Ａの形状が同一の４種類の付箋紙片（第６付箋紙片１０Ｆ、第７付箋紙片１０Ｇ、第８付箋紙片１０Ｈ、第９付箋紙片１０Ｊ）から構成されている。この付箋５では、第６〜第９付箋紙片１０Ｆ,１０Ｇ,１０Ｈ,１０Ｊを、一枚ずつ順に積層し、積層方向に接する付箋紙片１０同士が異なる種類となっている。
【００５６】
前記第６付箋紙片１０Ｆ（付箋紙片１０）は、貼着領域３１と、切抜領域３２と、付箋領域３３と、を有する小紙片である。ここで、第６付箋紙片１０Ｆと他の付箋紙片（第７〜第９付箋紙片１０Ｇ〜１０Ｊ）とは、外形輪郭１２の形状が異なるだけで、基本的な構成は同じである。そのため、以下、図９に示す第６付箋紙片１０Ｆに基づき、実施例２の付箋紙片の詳細構成を説明する。
【００５７】
前記貼着領域３１は、裏面１１に粘着層１５が設けられた領域である。この実施例２では、貼着領域３１は、第６付箋紙片１０Ｆに２ヵ所設けられている。一方の貼着領域３１は、切抜領域３２と重複している。
この貼着領域３１の裏面１１に粘着層１５を設けたことにより、第６付箋紙片１０をノート等の他の部材に対して剥離可能に貼り付けることができる。そして、この第６付箋紙片１０Ｆを他の付箋紙片（第７〜第９付箋紙片１０Ｇ〜１０Ｊ）と積層したときには、表層側に位置する他の付箋紙片（第９付箋紙片１０Ｊ）の粘着層１５が、この第６付箋紙片１０Ｆの貼着領域３１の表面に貼り付けられる。また、下層側に位置する他の付箋紙片（第７付箋紙片１０Ｇ）の貼着領域３１の表面に、この第６付箋紙片１０Ｆの貼着領域３１の裏面の粘着層１５が貼り付けられる。
【００５８】
前記切抜領域３２は、第６付箋紙片１０Ｆの内部の特定領域の輪郭に沿って設けられた切込み１３Ａによって区画された領域であり、この切込み１３Ａによって全周が囲まれて第６付箋紙片１０Ｆから切抜可能になっている。なお、この実施例２では、切込み１３Ａは一部にアンカット部を有しており、切抜領域３２が第６付箋紙片１０Ｆから切り離されてしまうことが防止されている。
また、切抜領域３２は、一部が貼着領域３１と重複しており、裏面の一部に粘着層１５が設けられている。つまり、粘着層１５は、切込み１３Ａによって囲まれた切抜領域３２の一部と、その周囲領域の一部とにそれぞれ設けられている。
【００５９】
さらに、この実施例２では、切抜領域３２の内部が、複数のミシン目１６によって区画されている。そして、このミシン目１６により、切抜領域３２は、複数に容易に分割可能となっている。
【００６０】
前記付箋領域３３は、裏面１１に粘着層１５が設けられていない領域であって、一部が貼着領域３１と連続した領域である。この付箋領域３３と貼着領域３１との境界位置は、区画されておらず、表面的には一体になっている。また、この付箋領域３３の外形輪郭１２ａと、貼着領域３１の外形輪郭１２ｂと、によって、第６付箋紙片１０Ｆの外形輪郭１２が構成される。なお、この実施例２では、複数の付箋領域３３が形成されている。
【００６１】
そして、この第６付箋紙片１０Ｆと、第７〜第９付箋紙片１０Ｇ〜１０Ｊは、図９に示すように、互いに付箋領域３３のうちの一部の外形輪郭１２ａの形状が異なる形状となっている。
【００６２】
一方、第６付箋紙片１０Ｆと、第７〜第９付箋紙片１０Ｇ〜１０Ｊは、貼着領域３１及び切抜領域３２の形状については同一形状であり、各付箋紙片１０Ｆ〜１０Ｊの貼着領域３１の外形輪郭１２ｂも同一形状となっている。
【００６３】
さらに、同様の構成を有する付箋の例として、図１０に示すようなものも考えられる。この付箋６は、図１０に示すように、多数の付箋紙片１０が、外形輪郭１２及び内部の特定領域に沿って設けられた切込み１３Ａの形状が異なっている６種類の付箋紙片（第１０付箋紙片１０Ｋ、第１１付箋紙片１０Ｍ、第１２付箋紙片１０Ｎ、第１３付箋紙片１０Ｐ、第１４付箋紙片１０Ｑ、第１５付箋紙片１０Ｒ）から構成されている。この付箋６においても、第１０〜第１５付箋紙片１０Ｋ〜１０Ｒを、一枚ずつ順に積層し、積層方向に接する付箋紙片１０同士が異なる種類となっている。
【００６４】
前記第１０付箋紙片１０Ｋ（付箋紙片１０）は、図１１に示すように、貼着領域３１と、切抜領域３２と、付箋領域３３と、を有する小紙片である。ここで、第１０付箋紙片１０Ｋと他の付箋紙片（第１１〜第１５付箋紙片１０Ｍ〜１０Ｒ）とは、外形輪郭１２及び切込み１３Ａの形状が異なるだけで、基本的な構成は同じである。
【００６５】
そして、この第１０付箋紙片１０Ｋと、上述の第６付箋紙片１０Ｆとの違いは、切込み１３Ａの形状が、他の付箋紙片と同一形状であるか否か、という点にある。
すなわち、第１０〜第１５付箋紙片１０Ｋ〜１０Ｒでは、互いの貼着領域３１は同一形状となっている。一方、切込み１３Ａによって区画された領域である切抜領域３２は、それぞれ第１０〜第１５付箋紙片１０Ｋ〜１０Ｒごとに異なる形状となっている。しかも、ここでは各付箋紙片１０Ｋ〜１０Ｒごとに、それぞれ二つの切抜領域３２が形成されている。なお、各切抜領域３２の一部が貼着領域３１と重複している点は、上述の第６付箋紙片１０Ｆと同様である。
そして、付箋領域３３についても、第１０〜第１５付箋紙片１０Ｋ〜１０Ｒごとに一部の外形形状が異なっている。
【００６６】
次に、この実施例２の付箋５及び付箋６における各付箋紙片１０Ｆ〜１０Ｒの使用例を、図１２及び図１３に基づいて説明する。
【００６７】
すなわち、第９付箋紙片１０Ｊは、図１２に示すように、ノートや本等の冊子Ｓのページ端部Ｐに貼り付けたときには、一般的な付箋紙片と同様に、この第９付箋紙片１０Ｊの表側を目印やメモ書き等に使用することができる。
また、ページ端部Ｐに貼り付けた際、付箋領域３３の一部をページ端部Ｐから突出させれば、冊子Ｓを閉じた状態でも、付箋領域３３がページ端部Ｐからはみ出して、インデックスとして使用することができる。
【００６８】
一方、切抜領域３２は、第９付箋紙片１０Ｊを冊子Ｓに貼り付ける前に切り抜いておくことで、切抜領域３２を付箋領域３３から独立した紙片としてメモや目印に使用することができる。また、この切抜領域３２は一部が貼着領域３１と重複し、裏面の一部に粘着層１５が設けられている。そのため、切抜領域３２を、シールとして使用したり、単体で一般的な付箋と同様の使い方をすることができる。また、ミシン目１６から切り離して、複数に分割して使用することも可能である。
なお、切抜領域３２は、第９付箋紙片１０Ｊを冊子Ｓに貼り付けた後であっても、適宜切抜可能であるし、図１２に示すように、ミシン目１６によって分割された一部の切抜領域３２のみを切り抜くことも可能である。
【００６９】
なお、この第９付箋紙片１０Ｊと同様の構成を有する第６付箋紙片１０Ｆ〜第８付箋紙片１０Ｈも、同じような使い方をすることができる。
【００７０】
また、第１０付箋紙片１０Ｋは、図１３に示すように、ノートや本等の冊子Ｓのページ端部Ｐに貼り付けて、一般的な付箋紙片と同様に、この第１０付箋紙片１０Ｋの表側を目印やメモ書き等に使用することができる。
また、ページ端部Ｐに貼り付けた際、付箋領域３３の一部をページ端部Ｐから突出させれば、冊子Ｓを閉じた状態でも、付箋領域３３がページ端部Ｐからはみ出して、インデックスとして使用することができる。
【００７１】
一方、切抜領域３２は、第１０付箋紙片１０Ｋを冊子Ｓに貼り付ける前に切り抜いておくことで、この切抜領域３２をシールとして使用したり、単体で一般的な付箋と同様の使い方をすることができる。また、切抜領域３２を冊子Ｓの紙面に張り付けた状態で、一部を折ってから起立させて使用することもできる。
なお、切抜領域３２は、第１０付箋紙片１０Ｋを冊子Ｓに貼り付けた後であっても、適宜切抜可能である。
【００７２】
なお、この第１０付箋紙片１０Ｋと同様の構成を有する第１１付箋紙片１０Ｍ〜第１５付箋紙片１０Ｒも、同じような使い方をすることができる。このとき、切抜領域３２の形状がそれぞれの付箋紙片ごとに異なっているので、切抜領域３２の種類にバリエーションを持たせることができる。
【００７３】
すなわち、この実施例２の付箋にあっては、下記に列挙する効果を得ることができる。
【００７４】
(5) 前記切込み１３Ａは、前記付箋紙片（第６付箋紙片１０Ｆ）の内部に設定された特定領域（切抜領域３２）に沿って設けられ、前記特定領域（切抜領域３２）を前記付箋紙片（第６付箋紙片１０Ｆ）から切抜可能とする構成とした。
これにより、付箋紙片（第６付箋紙片１０Ｆ）の一部を切り抜いてメモやシールとして利用することができる。
【００７５】
(6) 前記粘着層１５は、前記切込み１３Ａによって囲まれた特定領域（切抜領域３２）の裏面の一部及び前記特定領域（切抜領域３２）の周囲領域の裏面の一部に設けられている構成とした。
これにより、切込み１３Ａによって囲まれた特定領域（切抜領域３２）をシールとして使用したり、単体で一般的な付箋として使用することができる。また、特定領域（切抜領域３２）の周囲領域も一般的な付箋として使用することができる。
【００７６】
以上、本発明の付箋を実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【００７７】
上記実施例１では、付箋紙片１０の折り返し領域２３の外形輪郭１２ｂと、切込み１３の両方を、第１〜第５付箋紙片１０Ａ〜１０Ｅにおいて異ならせる例を示したが、これに限らない。
例えば、切込み１３の形状のみが、第１〜第５付箋紙片１０Ａ〜１０Ｅごとに異なっていてもよいし、折り返し領域２３の外形輪郭１２ｂの形状のみが、第１〜第５付箋紙片１０Ａ〜１０Ｅごとに異なっていてもよい。
【００７８】
また、実施例１では、第１〜第５付箋紙片１０Ａ〜１０Ｅのいずれにおいても切込み１３を設ける構成としたが、切込み１３を設けていなくてもよい。
【００７９】
さらに、この実施例１では、第１付箋３が３種類の付箋紙片（第１〜第３付箋紙片１０Ａ,１０Ｂ,１０Ｃ）によって構成され、第２付箋４が２種類の付箋紙片（第４,第５付箋紙片１０Ｄ,１０Ｅ）によって構成される例を示した。しかしながら、付箋紙片の種類は任意に設定することができ、１枚ごとに異なる種類の付箋紙片を積層していればよい。
【００８０】
そして、実施例１では、貼着領域２１と折り返し領域２３との境界位置にミシン目１４を設け、折り返し領域２３が容易に折り返せる構成としたが、これに限らない。貼着領域２１とインデックス領域２２との境界位置にミシン目を設け、インデックス領域を容易に折り返しや切り取り可能としてもよい。
また、貼着領域２１と折り返し領域２３との境界位置や、貼着領域２１とインデックス領域２２との境界位置にエンボス加工による折曲線を設けてもよい。
【符号の説明】
【００８１】
１  付箋帳
２  台紙
３  第１付箋
４  第２付箋
１０  付箋紙片
１０Ａ  第１付箋紙片
１０Ｂ  第２付箋紙片
１０Ｃ  第３付箋紙片
１１  裏面
１２  外形輪郭
１２ａ  折り返し領域の外形輪郭
１２ｂ  貼着領域の外形輪郭
１３  切込み
１４  ミシン目
１５  粘着層
２１  貼着領域
２２  インデックス領域
２３  折り返し領域
【図１】
0006691807.tif 000002
【図２】
0006691807.tif 000003
【図３】
0006691807.tif 000004
【図４】
0006691807.tif 000005
【図５】
0006691807.tif 000006
【図６】
0006691807.tif 000007
【図７】
0006691807.tif 000008
【図８】
0006691807.tif 000009
【図９】
0006691807.tif 000010
【図１０】
0006691807.tif 000011
【図１１】
0006691807.tif 000012
【図１２】
0006691807.tif 000013
【図１３】
0006691807.tif 000014